(57)【特許請求の範囲】
【請求項１】
太陽光追従型発電システムにおける太陽電池パネル表面を研磨・洗浄する自動研磨および／または洗浄装置において、
前記太陽電池パネルを太陽光に追従できるように支持する支持部材と、
前記支持部材を中心にして前記太陽電池パネルを太陽光に追従できるように回動可能に固定する太陽電池パネル保持枠と、
前記太陽電池パネル保持枠の両側部に設けられ、一方の端および他方の端でそれぞれが閉塞されている溝と、
前記溝で両端部が支持されているとともに、前記太陽電池パネルの表面を洗浄できるロールブラシまたはチャンネルブラシと、
前記ロールブラシまたはチャンネルブラシの軸と前記溝との距離を一定に保持するほぼコ字型保持部材と、
から少なくとも構成されており、
前記太陽電池パネルが所定の角度になった場合、前記ロールブラシまたはチャンネルブラシが重力により下方向に落下し、その際に前記ブラシによって太陽電池パネルの表面を磨く、または洗浄することができることを特徴とする太陽電池パネル自動研磨および／または洗浄装置。
【請求項２】
前記ロールブラシは、両端の軸受が錘となっていることを特徴とする請求項１に記載された太陽電池パネル自動研磨および／または洗浄装置。
【請求項３】
前記チャンネルブラシは、チャンネル部材が錘りとなっていることを特徴とする請求項１に記載された太陽電池パネル自動研磨および／または洗浄装置。
【請求項４】
前記ほぼコ字型保持部材は、前記ブラシを太陽電池パネル表面に程良い圧力で接する弾力を備えていることを特徴とする請求項１から請求項３のいずれか１項に記載された太陽電池パネル自動研磨および／または洗浄装置。
【請求項５】
前記ロールブラシおよびチャンネルブラシの材質は、紙、布、合成樹脂、不織布、バフ、スポンジの中の少なくとも一種類であることを特徴とする請求項１から請求項４のいずれか１項に記載された太陽電池パネル自動研磨および／または洗浄装置。
【請求項６】
前記ロールブラシおよびチャンネルブラシは、
前記紙、布、合成樹脂、不織布が所定の大きさに裂かれ、接着剤および／または砥粒が加えられた紐状体を基にして作製されることを特徴とする請求項１から請求項５のいずれか１項に記載された太陽電池パネル自動研磨および／または洗浄装置。
【請求項７】
前記ロールブラシおよびチャンネルブラシは、
紙が丸められた棒状体を捻じり、縒ったものからなる紐状体を基にして作製されることを特徴とする請求項１から請求項５のいずれか１項に記載された太陽電池パネル自動研磨および／または洗浄装置。
【発明の詳細な説明】
【技術分野】
【０００１】
本発明は、太陽光追従型発電システムにおいて、太陽光に追従する太陽電池パネル表面を動力なしで、自動的に研磨・洗浄することができる太陽電池パネル自動研磨および／または洗浄装置に関するものである。
【背景技術】
【０００２】
特開２００５−２５１８６５号公報に記載されている太陽光自動追従装置は、太陽光を平面で受ける太陽電池パネルを太陽の動きに応じて、仰角の調整を行うと共に、東西方向の方位角を調整し、太陽の動きに追従させるものである。前記太陽光自動追従装置は、太陽電池パネルの仰角を太陽電池パネルの上端辺に対して、昇降可能な構成として調整する。また、前記太陽電池パネルの東西方向の方位角は、太陽電池パネルの上端辺を回転可能な構成として調整するようにし、太陽電池パネルの下端辺は上端辺の調整に自在に追従するようにしている。
【先行技術文献】
【特許文献】
【０００３】
【特許文献１】特開２００５−２５１８６５号公報
【発明の概要】
【発明が解決しようとする課題】
【０００４】
従来、太陽光自動追従装置は、太陽光線が太陽電池パネルに対して一番当たる位置に追従させる点に重点が置かれて、前記太陽電池パネルの表面の研磨・洗浄を行っていなかった。しかし、太陽光自動追従装置は、太陽光線を最大に吸収できる位置に置くことができるにもかかわらず、前記太陽電池パネルの表面が汚れていたり、木の葉等のゴミにより太陽光線を遮る場合があった。
【０００５】
以上のような課題を解決するために、本発明は、簡単な機構により、前記太陽光自動追従装置の表面に設けられた太陽電池パネルに対して、太陽光線を最大に吸収できるような太陽電池パネル自動研磨および／または洗浄装置を提供することを目的とする。また、本発明は、太陽電池パネルが太陽光線を最大に吸収できるように、最高位置に達した際に、錘により、降下を始め、その際の摩擦によって前記太陽電池パネルの表面を洗浄できる太陽電池パネル自動研磨および／または洗浄装置を提供することを目的とする。
【課題を解決するための手段】
【０００６】
（第１発明）
第１発明の太陽電池パネル自動研磨および／または洗浄装置は、太陽光追従型発電システムにおける太陽電池パネル表面を研磨・洗浄するものであり、前記太陽電池パネルを太陽光に追従できるように支持する支持部材と、前記支持部材を中心にして前記太陽電池パネルを太陽光に追従できるように回動可能に固定する太陽電池パネル保持枠と、前記太陽電池パネル保持枠の両側部に設けられ、一方の端および他方の端でそれぞれが閉塞されている溝と、前記溝で両端部が支持されているとともに、前記太陽電池パネルの表面を洗浄できるロールブラシまたはチャンネルブラシと、前記ロールブラシまたはチャンネルブラシの軸と前記溝との距離を一定に保持するほぼコ字型保持部材と、から少なくとも構成されており、前記太陽電池パネルが所定の角度になった場合、前記ロールブラシまたはチャンネルブラシが重力により下方向に落下し、その際に前記ブラシによって太陽電池パネルの表面を磨く、または洗浄することができることを特徴とする。
【０００７】
（第２発明）
第２発明の太陽電池パネル自動研磨および／または洗浄装置において、前記ロールブラシは、両端の軸受が錘となっていることを特徴とする。
【０００８】
（第２発明）
第２発明の太陽電池パネル自動研磨および／または洗浄装置において、前記チャンネルブラシは、チャンネル部材が錘りとなっていることを特徴とする。
【０００９】
（第３発明）
第３発明の太陽電池パネル自動研磨および／または洗浄装置において、前記ほぼコ字型保持部材は、前記ブラシを太陽電池パネル表面に程良い圧力で接する弾力を備えていることを特徴とする。
【００１０】
（第４発明）
第４発明の太陽電池パネル自動研磨および／または洗浄装置において、前記ロールブラシおよびチャンネルブラシの材質は、紙、布、合成樹脂、不織布、バフ、スポンジの中の少なくとも一種類であることを特徴とする。
【００１１】
（第５発明）
第５発明の太陽電池パネル自動研磨および／または洗浄装置において、前記ロールブラシおよびチャンネルブラシは、前記紙、布、合成樹脂、不織布が所定の大きさに裂かれ、接着剤および／または砥粒が加えられた紐状体を基にして作製されることを特徴とする。
【００１２】
（第６発明）
第６発明の太陽電池パネル自動研磨および／または洗浄装置において、前記ロールブラシおよびチャンネルブラシは、紙が丸められた棒状体を捻じり、縒ったものからなる紐状体を基にして作製されることを特徴とする。
【発明の効果】
【００１３】
本発明によれば、太陽電池パネルを常に太陽光に追従させることができるだけでなく、前記太陽電池パネルの表面を必ず磨き、かつ、洗浄することができるブラシを備えているため、太陽光を効率良く吸収することができる。
【００１４】
本発明によれば、前記太陽電池パネルの表面を磨くことができるブラシは、自重で所定高さに至った時点で、落下しながら、前記太陽電池パネルの表面を研磨および／または洗浄することができる。
【００１５】
本発明によれば、コ字型保持部材のバネ性、太陽電池パネルの自重、錘、あるいは摩擦等を考慮するだけで、太陽電池パネルの角度が所定位置になった時点で、自重により前記太陽電池パネルを研磨および／または洗浄を行うことができる。
【００１６】
本発明によれば、接着剤および／または砥粒が染み込んだ紙シートを丸める際に、紙製素材、合成樹脂製ブラシ毛、動植物ブラシ毛とすることで、前記太陽電池パネルの表面を研磨および／または洗浄できるとともに、ブラシ素材の腰の強度を調整することができる。
【図面の簡単な説明】
【００１７】
【図１】（イ）から（ハ）は本発明の第１実施例であり、太陽光追従型発電システムにおける太陽電池パネルの表面を研磨および／または洗浄できる太陽電池パネル自動洗浄装置を説明するための模式図で、（イ）は全体の側面図、（ロ）は太陽電池パネルの平面図、（ハ）は一部断面図である。（実施例１）
【図２】本発明の太陽電池自動洗浄装置におけるロールブラシおよび太陽電池パネルの関係を説明するための模式図である。
【図３】（イ）から（ハ）は本発明の太陽電池パネルとブラシとの関係を説明するための断面模式図である。
【図４】本発明の第２実施例であり、研磨および／または洗浄するブラシおよびコ字型保持部材が第１実施例と異なっている。（実施例２）
【図５】本発明の実施例であり、シート状紙部材を丸めた棒状体を、捩じり、縒ってブラシ素材とした実施例を説明するための模式図である。
【図６】本発明の実施例であり、紙製のチャンネルブラシ、植え込みブラシ、およびホイールブラシを説明するための図である。
【図７】（イ）および（ロ）は本発明の実施例であり、ロールブラシの例を説明するための図である。
【図８】（イ）から（ニ）は本発明の実施例であり、紙を切り裂いた作製された棒状体を成形してブラシ素材とした実施例を説明するための模式図である。
【図９】（イ）から（ニ）は本発明の実施例であり、紙を裁断して作製された棒状体を成形してブラシ素材とした実施例を説明するための模式図である。
【発明を実施するための形態】
【００１８】
（第１発明）
第１発明の太陽電池パネル自動研磨および／または洗浄装置は、太陽光追従型発電システムにおいて、太陽光に追従する太陽電池パネル表面を研磨・洗浄するものである。前記太陽電池パネル自動研磨および／または洗浄装置は、太陽電池パネル用支持部材と、太陽電池パネルを回動可能に固定する太陽電池パネル保持枠と、前記太陽電池パネル保持枠に設けられた溝と、太陽電池パネルの表面を研磨・洗浄するロールブラシまたはチャンネルブラシと、前記ロールブラシまたはチャンネルブラシを固定するほぼコ字型保持部材とから少なくとも構成されている。前記太陽電池パネル用支持部材は、太陽電池パネルが太陽光を追従できるように支持されている。本発明でいう「研磨・洗浄」、あるいは「研磨および／または洗浄」なる用語は、太陽電池パネルの表面のゴミ等を除去するために擦り取る動作、洗い流す動作等も含むものである。
【００１９】
前記太陽電池パネル保持枠は、前記支持部材を中心にして、前記太陽電池パネルを太陽光に追従できるように回動可能に固定している。また、前記太陽電池パネル保持枠は、両側端で閉塞された溝、あるいはストッパーが設けられており、前記ロールブラシまたはチャンネルブラシが一方の端から他方の端に脱落することなく往復移動ができるような構造に支持されている。
【００２０】
前記ほぼコ字型保持部材は、前記ロールブラシまたはチャンネルブラシの軸と前記溝との距離を一定の圧力と摩擦力を保持できる形状をしている。たとえば、前記ほぼコ字型保持部材は、部材自体にバネ性を持たせるか、あるいは中間部にバネ部材を設けておくようにする。また、前記ほぼコ字型保持部材は、前記ロールブラシまたはチャンネルブラシの摩擦部分が前記太陽電池に対して程よい角度に接触するように支持部で回動できる構造になっている。
【００２１】
前記太陽電池パネルは、太陽の方向に追従できるようになっているため、夜から朝になった場合、あるいは朝からお昼過ぎの所定の角度になった場合、前記ロールブラシまたはチャンネルブラシが重力により下方向に落下し、その際に前記ブラシによって太陽電池パネルの表面を磨く、または洗浄することができる。前記ほぼコ字型保持部材は、前記ロールブラシまたはチャンネルブラシによって、バネ圧を決めておき、前記太陽電池パネルの表面に付着したゴミ等を除去することができ、前記太陽電池パネルの発光効率を低下させることがない。また、必要に応じて、前記自動洗浄装置は、少なくとも一方において、前記ロールブラシまたはチャンネルブラシが最下端に達した際に、洗浄するための水等を掛ける洗浄装置を設けることができる。
【００２２】
（第２発明）
第２発明の太陽電池パネル自動研磨および／または洗浄装置は、ロールブラシの回転部に設けられる軸受けが錘となっている。前記錘は、軸受と兼用できるだけでなく、長さ方向により、重さを適宜調整することが容易にできる。また、前記ロールブラシの軸そのものを錘にすることも可能である。前記錘となる軸受は、前記コ字型保持部材の向きを前記太陽電池の表面にブラシを沿わせるようにしている。
【００２３】
（第３発明）
第３発明の太陽電池パネル自動研磨および／または洗浄装置は、チャンネルブラシのチャンネル部材が錘りとなるようになっている。前記チャンネルブラシは、ブラシ毛をチャンネル部材に入れ、両側から挟持して作製するが、前記チャンネル部材の重さ、および必要に応じて、チャンネル部材の内部に錘を入れることにより、程よい重さに調整することができる。また、前記コ字型保持部材は、溝の中を摺動および回動自在に移動することにより、前記太陽電池の表面にブラシを沿わせるようにしている。
【００２４】
（第４発明）
第４発明の太陽電池パネル自動研磨および／または洗浄装置は、ほぼコ字型保持部材に弾性体を設けることにより、前記ブラシを太陽電池パネル表面に程良い圧力で接する弾力を持たせている。前記弾性体の圧力は、コイルバネ、あるいは所定の弾力を有するバネ部材とすることができる。
【００２５】
（第５発明）
第５発明の太陽電池パネル自動研磨および／または洗浄装置は、太陽電池パネルの表面を磨くブラシ素材として、紙、布、合成樹脂製、動植物製、不織布、バフ、スポンジの中の少なくとも一種類が使用されている。前記ブラシ素材は、太陽電池パネルの表面を研磨・洗浄できる柔らかさのものであれば、必要に応じて、変えることができる。
【００２６】
（第６発明）
第６発明の太陽電池パネル自動研磨および／または洗浄装置は、ブラシ素材を紙製にしている。前記紙ブラシは、シート状の紙を丸められた棒状体とする。前記棒状体は、捻じられ、その後、複数本を縒り、紐状体とする。前記紐状体は、チャンネルブラシまたはロールブラシに組み立てることができる。
【００２７】
（第７発明）
第７発明の太陽電池パネル自動研磨および／または洗浄装置は、ブラシ素材が紙、布、合成樹脂、不織布製である。前記紙、布、合成樹脂、不織布は、所定の大きさに裂かれ、または切断され、接着剤および／または砥粒が加えられた紐状体になる。前記紐状体は、編まれ、あるいは接着剤により固定されてチャンネルブラシまたはロールブラシに組み立てることができる。
【実施例１】
【００２８】
図１（イ）から（ハ）は本発明の実施例であり、太陽光追従型発電システムにおける太陽電池パネルの表面を研磨および／または洗浄できる太陽電池パネル自動洗浄装置を説明するための模式図で、（イ）は全体の側面図、（ロ）は太陽電池パネルの平面図、（ハ）は一部断面図である。図１（イ）において、太陽光追従型発電システム１１は、太陽電池パネル用支持部材１２と、太陽電池パネル保持枠１３と、太陽電池パネル１５と、前記太陽電池パネル１５の表面を研磨および／または洗浄するロールブラシ１４とから少なくとも構成されている。前記太陽電池パネル用支持部材１２は、前記太陽電池パネル保持枠１３に太陽電池パネル１５を取り付け、風雨に耐えるように大地に取り付けられている。
【００２９】
図１（ロ）および（ハ）は本発明の実施例で、前記太陽電池パネル１５が太陽電池パネル保持枠１３に取り付けられている。前記太陽電池パネル１５は、前記太陽電池パネル保持枠１３とともに回転軸１２１を中心に回転し、太陽光に追従するとともに、ロールブラシ１４によって、前記太陽電池パネル表面が研磨・洗浄される。前記太陽電池パネル１５および太陽電池パネル保持枠１３は、ほぼコ字型保持部材３２（図３（イ）および（ロ）参照）によって所定の間隔と圧力で保持されている。
【００３０】
前記太陽電池パネル保持枠１３は、前記太陽電池パネル支持部材１２の回転軸１２１を中心に回転して、前記太陽電池パネル１５を太陽光に追従できるように回動可能に固定している。また、前記太陽電池パネル保持枠１３は、両側端で閉塞された溝１３１が設けられている。前記ロールブラシ１４は、前記太陽電池パネル保持枠１３の上部に達した場合、ほぼコ字型保持部材３２の弾性に反し、自重により、一方の端から他方の端に移動できるような構造で支持されている。前記ほぼコ字型保持部材は、部材自体にバネ性を持たせるか、あるいは中間部にバネ部材を設けておくことができる。
【００３１】
前記太陽電池パネル１５は、図示されていない制御装置によって、常に、太陽の方向を向くようになっているため、夜から朝になった場合（太陽電池パネル追従装置の制御による）、あるいは朝からお昼過ぎの所定の角度になった場合、前記ロールブラシが重力により下方向に落下し、その際に前記ブラシによって太陽電池パネル１５の表面を磨くことができる。前記ほぼコ字型保持部材３１は、前記ロールブラシ１４によって、バネ圧を決めておき、前記太陽電池パネル１５の表面に付着したゴミ等を除去することができ、前記太陽電池パネルの発光効率を低下させることがない。
【００３２】
また、必要に応じて、前記太陽電池パネル自動研磨および／または洗浄装置は、少なくとも一方において、前記ロールブラシ１４（図２）またはチャンネルブラシ３４（図４）が最下端に達した際に、洗浄するための水等を掛ける洗浄装置を設けることができる。
【００３３】
図２は本発明の太陽電池自動洗浄装置におけるロールブラシおよび太陽電池パネルの関係を説明するための模式図である。図２において、太陽電池パネル保持枠１３（図１参照）は、ロールブラシ１４をコ字型保持部材３１、３５（図３参照）で支持するとともに、摺動自在に移動できる溝１３１、および必要に応じて、ストッパー１３２、１３２′が設けられている。
【００３４】
図３（イ）から（ハ）は本発明の太陽電池パネルとブラシとの関係を説明するための断面模式図である。図３（イ）において、ほぼコ字型保持部材３１は、図示のごとく、二つの部材からなり、中間にバネ部材３２があり、互いに引きつけられることにより、ロールブラシ１４を太陽電池パネル１５の表面に押しつけるように保持する。図３（ロ）のほぼコ字型保持部材３５は、予め所定の弾性を有する部材からなるチャンネルブラシ３４のチャンネル部材３４１（図（ハ）参照）が取付凹部３３に摺動自在に取り付けられる。前記ほぼコ字型保持部材３５は、チャンネルブラシ３４のチャンネル部材に溶接または接着剤３５１により取り付けられる。さらに、前記チャンネルブラシ３４は、必要に応じて、錘３４２を上部に取り付けることにより、太陽電池パネル１５の表面を上手に研磨・洗浄ができる。
【００３５】
図４は本発明の第２実施例であり、研磨および／または洗浄するブラシおよびコ字型保持部材が第１実施例と異なっている。すなわち、図４に示す太陽電池パネル自動研磨および／または洗浄装置は、図３（ロ）および（ハ）に示すように、チャンネルブラシ３４およびほぼコ字型保持部材３１の形状が図２および図３（イ）と異なっている。
【００３６】
図３において、前記ほぼコ字型保持部材３１は、ロールブラシ１４の内部にブラシ軸受１４１を設け、前記ブラシ軸受１４１を錘にするために、重さを調整することができる。また、前記ブラシ軸受１４１は、長さを調整することにより、ロールブラシ１４の研磨・洗浄を調整することができる。
【００３７】
第３発明の太陽電池自動洗浄装置は、チャンネルブラシのチャンネル部材が錘りとなるようになっている。前記チャンネルブラシは、ブラシ毛をチャンネル部材に入れ、両側から挟持して作製するが、前記チャンネル部材の重さ、および必要に応じて、チャンネル部材の内部に錘を入れることにより、程よい重さに調整することができる。
【００３８】
図５（イ）から（ヘ）は本発明の実施例であり、シート状紙部材を丸めた棒状体を、捩じり、縒ってブラシ素材とした実施例を説明するための模式図である。図５（イ）から（ニ）は本発明の捻じり縒り紙製ブラシ毛を説明するための模式図である。本実施例の紙製ブラシは、図５（イ）に示されたような薄い紙製シート１１から作製される。前記紙製シート５１は、一端から丸められ、丸い棒状体５２となる。前記棒状体５２は、図５（ハ）に示されているように、捻じられられた状態５３となる。
【００３９】
前記薄い紙製シートを丸めた棒状体５２は、捻じられた後、さらに、複数本を縒ることにより、捻じり縒り紙製ブラシ毛５４が作製される。前記紙製シート５１は、和紙の場合、濃淡のある（透けて見える所がある）ものとなる。また、前記紙製シートは、和紙、洋紙、厚紙、リサイクル用紙等、被研磨面、あるいは研磨目的によって、種々の品種のものを選択することができる。前記紙製シートは、古紙、牛乳パック、段ボール等を基にしたものを使用することもできる。
【００４０】
図５（ホ）は、捻じり縒り紙製ブラシ毛の他の例で、前記捻じり縒り紙製ブラシ毛の少なくとも一本を編み機（公知の編み機）により網状に編み込んだ状態にしたもの５５を巻回５５′する。前記合成樹脂製ブラシ毛より、研磨面および腰が柔らかい、紙独特の性質を得ることができる。前記紙の種類は、多数あり、紙製ブラシ毛として使用する際の用途により、目的に合った紙の種類を選択することができる。前記各種紙製シートは、薄いシートを丸めて棒状体とした後、捻じられる。
【００４１】
前記捻じられた棒状体は、縒ることにより、紙の種類から生じる独特の柔らかさ、および紙の捩じりおよび縒りから生じる隙間により、摩擦力および腰の強さに独特の強度を持ち、かつ、柔軟性の優れた紙製ブラシ毛となる。前記捩じりおよび縒られた棒状体は、少なくとも１本または複数本が集合されて紙製ブラシ毛となる。前記柔軟性の高い紙製ブラシ毛は、植え込み部材に植え込まれる。
【００４２】
前記捻じり縒り紙製ブラシ毛は、さらに、図５（ホ）に示されているように、公知の編み機によって編まれ（符号５５）、巻回された状態５５′になる。前記捻じり縒り紙製ブラシ毛の編み方は、図示以外に、公知の各種方法を採用することができる。前記網状に編まれた紙製ブラシ毛は、先端、側端、側面をブラシ面として使用できる。前記網の編み方は、紙の材質以外に、交差部、結び目、編み目の大小、編み目の密度等によって研磨具合を変えることができる。前記網状に編まれた紙製ブラシ毛は、捩じり縒りだけの場合と比較して、より多くの隙間を有するため、柔らかい研磨以外に、振動を吸収しながらの研磨ができる。
【００４３】
前記捻じり縒り紙製ブラシ毛は、編まれた状態５５′を巻回することにより、図５（ヘ）に示す棒状ブラシ５５１ができる。前記棒状ブラシ５５１は、把持部５５２を付けることにより、大型平面部材の研磨ブラシとすることがでる。
【００４４】
図６（イ）から（ニ）は本発明に使用する捻じり縒り紙製ブラシ毛から紙製ブラシを作製する状態を説明するための模式図である。図６（イ）において、作製された捻じり縒り紙製ブラシ毛６１は、たとえば、少なくとも１本が半分に折られ、その中間部に芯線６２を挟み、コ字状チャンネル部材６３に挟むことにより植設される。その後、前記コ字状チャンネル部材６３は、両側から押され、紙製ブラシが完成する。前記コ字状チャンネル部材６３は、金属製または合成樹脂製とすることができる。前記合成樹脂製チャンネルは、熱等を加えることにより、前記紙製ブラシを強く挟み込む。
【００４５】
また、図６（ロ）に示す捻じり縒り紙製ブラシ毛６４は、半分に折るか、あるいは長さを一定にして、コ字状チャンネル部材６５に植設される。その後、前記捻じり縒り紙製ブラシ毛６４は、前記コ字状チャンネル部材６５に接着剤６６を入れることにより、紙製ブラシとなる。さらに、図６（ハ）に示す紙製ブラシは、通常の方法により、捻じり縒り紙製ブラシ毛６８をデッキ６７の孔に植設する。前記紙製ブラシは、いろいろな形状のものとすることができるだけでなく、紙の種類、捩じりおよび縒りによって生じる独特のものを作製することができる。前記チャンネル部材は、断面コ字状以外に、断面Ｃ型、断面Ｕ型、あるいは変形した形状にすることができる。
【００４６】
図６（ニ）において、図６（イ）および（ロ）によって作製された紙製チャンネルブラシを円形からなるホイールブラシとした例である。また、前記ホイールブラシは、同心的に重ねることにより、ロールブラシとすることもできる。図７（イ）および（ロ）は、本発明の実施例であり、ロールブラシの例を説明するための図である。前記チャンネルブラシを連続して一つの軸７２に設けて、ロールブラシ７３としている。基台７４上には、たとえば、被研磨部材が置かれており、その上をロールブラシ７３が回転しながら研磨・洗浄を行う。
【００４７】
図８（イ）から（ニ）は本発明の実施例であり、紙を切り裂いた作製された棒状体を成形してブラシ素材とした実施例を説明するための模式図である。図８（イ）において、紙８１は、細かに切り裂かれる。次に、前記切り裂かれた紙８１は、たとえば、図８（ロ）に示す容器８２に収容される。図８（ハ）において、前記容器８２は、前記切り裂かれた紙８１に接着剤８１１および／または砥粒８１２が入れられる。その後、図８（ニ）において、金型（図示されていない）に入れられ、棒状体８３、石鹸状体８４、およびシート状体８５が成形される。前記棒状体８３等に成形された後、前記接着剤８１１は、自然に蒸発するもの、乾燥により蒸発するもの等がある。
【００４８】
図９（イ）から（ニ）は本発明の実施例であり、裁断した紙からブラシ素材を作製し、成形した例を説明するための模式図である。図９において、紙は、所望の大きさに裁断９１される。次に、前記裁断９１された紙は、たとえば、図９（ロ）に示す容器９２に収容される。図９（ハ）において、前記容器９２は、前記裁断された紙に接着剤９１１および／または砥粒９１２が入れられる。その後、図９（ニ）において、金型（図示されていない）に入れられ、棒状体９３、石鹸状体９４、およびシート状体９５が成形される。なお、前記図９（イ）に示す紙の裁断９１は、一例であり、同じ形に整然とするもの、または大きさの異なる形が混じったもの等が考えられる。
【００４９】
前記紙は、和紙の場合、濃淡のある（透けて見える所がある）ものとなる。また、前記紙は、和紙、洋紙、厚紙、リサイクル用紙等、被研磨面、あるいは研磨目的によって、種々の品種のものを選択することができる。前記紙は、古紙、牛乳パック、段ボール等を基にしたものを使用することもできる。図１から図３に示された棒状体１３、２３、３３は、必要に応じて、捻じり縒られたブラシ素材となる（図示されていない）。
【００５０】
前記捻じり縒り棒状体からなるブラシ素材は、縒ることにより、紙の種類から生じる独特の柔らかさ、および紙の捩じりおよび縒りから生じる隙間により、摩擦力および腰の強さに独特の強度を持ち、かつ、柔軟性の優れた紙製ブラシ毛となる。前記捩じりおよび縒られた棒状体は、少なくとも１本または複数本が集合されて紙製ブラシ毛となる。前記柔軟性の高い紙製ブラシ毛は、植え込み部材に植え込まれる。
【００５１】
また、前記捻じり縒り紙製ブラシ毛は、公知の編み機によって網状に編まれる。前記捻じり縒り紙製ブラシ毛の編み方は、図示以外に、公知の各種方法を採用することができる。前記網状に編まれた紙製ブラシ毛は、先端、側端、側面をブラシ面として使用できる。前記網の編み方は、紙の材質以外に、交差部、結び目、編み目の大小、編み目の密度等によって研磨具合を変えることができる。前記網状に編まれた紙製ブラシ毛は、捩じり縒りだけの場合と比較して、より多くの隙間を有するため、柔らかい研磨以外に、振動を吸収しながらの研磨することができる。
【００５２】
本発明のブラシ素材に使用する接着剤は、使用目的等により、種類を選択し、濃度を調整することにより、形状以外に固さも調整することができる。前記接着剤が染み込んだ捻じり縒り紙製ブラシ毛は、接着剤の種類および濃度、紙の種類、捩じり、および縒りから生じる独特の柔らかさおよび軽さを持たせることができる。前記接着剤は、水性接着剤、無機系接着剤、有機系接着剤、天然ゴム系接着剤、ニカワを主原料とする天然接着剤、ニカワと木質セルローズを含む接着剤、壁紙用天然接着剤等が使用される。
【００５３】
また、紙製ブラシ素材の中心には、金属線、合成樹脂製ブラシ毛、動植物製ブラシ毛を入れることができる。また、砥粒は、たとえば、シリコンカーバイト、アルミナ、ジルコニア、ダイアモンド、エメリー、酸化セリウム、金属等のうちの少なくとも一つの砥粒が接着剤により、所定量だけ取り付けることができる。前記砥粒の種類、大きさ、および接着剤の量は、紙製ブラシの使用目的および紙製ブラシで拭く対象物によって任意に選択できる。さらに、前記砥粒およびペースト状接着剤の入れる場所は、前記同様に、紙製ブラシの使用目的および紙製ブラシで拭く（磨く）対象物によって、先端部の一部、先端部から中間部まで、あるいは全体といったように任意に選択できる。
【００５４】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の太陽光追従型発電システムは、公知ものであれば、どのようなタイプのものにも適用できる。太陽電池パネルを研磨・洗浄するロールブラシおよび／またはチャンネルブラシのブラシ素材は、合成樹脂部材、布部材、植物部材、動物部材、紙等を選択することができる。特に、紙は、その種類、厚さ、透きかた、形状、密度、捩じり方、縒り方等は、任意に選択することができる。また、紙の捩じり、または縒り方は、従来から使用されている機械により作製することができる。
【符号の説明】
【００５５】
１１・・・太陽光追従型発電システム
１２・・・太陽電池用支持部材
１２１・・・回転軸
１２２、１２２′、１２２″・・・回転軸受
１３・・・太陽電池保持枠
１３１・・・溝
１３２、１３２′・・・ストッパー
１４・・・ロールブラシ
１４１・・・ブラシ軸受
１５・・・太陽電池パネル
３１・・・コ字型保持部材
３２・・・バネ部材
３３・・・取付凹部
３４・・・チャンネルブラシ
３４１・・・チャンネル部材
３４２・・・錘
３５・・・コ字型保持部材
３５１・・・ハンダ付（接着剤）
【図１】
0005682028.tif 000002
【図２】
0005682028.tif 000003
【図３】
0005682028.tif 000004
【図４】
0005682028.tif 000005
【図５】
0005682028.tif 000006
【図６】
0005682028.tif 000007
【図７】
0005682028.tif 000008
【図８】
0005682028.tif 000009
【図９】
0005682028.tif 000010